(57)【特許請求の範囲】
【請求項１】
軸筒内に薬液が収容され、前記軸筒内のピストンを軸筒の前方向に移動させることにより、薬液を供給する薬液供給装置であって、
一方向に回転させることによって前記軸筒の後端部から後方向に引き出され、押し込まれることで前方向に移動する操作部と、
前記軸筒の後端部に設けられ、前記操作部の一方向の回転を許容する天冠部と、
前記操作部の前端部に形成された第１の突起部と螺合する螺子部を有すると共に、前記操作部が後方向に引き出される状態では前記天冠部と係合し回転が禁止され、前記操作部が前方向に押し込まれる状態では、前記天冠部との係合が解除され、前記操作部の第１の突起部によって回転する回転子と、
前記回転子と共に回転するピストン棒と、
前記ピストン棒の回転により、前記ピストン棒と前記ピストン棒の前端部に形成されたピストンを前方向へ移動させる運動変換部と、
を備え、
前記操作部を一方向に回転させることにより、軸筒の後端部から後方向に引き出し、前記操作部を押し込むことにより、前記回転子及びピストン棒を回転させ、前記運動変換部を介して、ピストン棒とピストンを前方向へ移動させ、薬液を供給することを特徴とする薬液供給装置。
【請求項２】
前記操作部の外周面に形成された、径方向に出没する第２の突起部と、
前記天冠部の内周面の前後方向に延設され、周方向の一方の面が斜面部に形成され、他の面が垂直面に形成された凸部と、
を備え、
前記操作部が一方向に回転させる際には、前記第２の突起部と前記斜面部が当接し、前記第２の突起部が径方向に没することにより、前記操作部の回転が許容され、
前記操作部が他の方向に回転させる際には、前記第２の突起部と前記垂直面が当接し、前記操作部の回転が禁止されることを特徴とする請求項１記載の薬液供給装置。
【請求項３】
前記天冠部の前方端に形成された凹部あるいは凸部と、
前記天冠部の凹部あるいは凸部と係合する前記回転子の後方端に形成された凸部あるいは凹部と、
前記回転子の後方端を前記天冠部の前方端に圧接するスプリングと、
を備え、
前記スプリングの付勢力により、前記天冠部と前記回転子が係合し、
前記操作部を押し込むことにより、前記操作部の第１の突起部が、前記回転子の螺子部を介して、スプリングの付勢力に抗して回転子を前方に移動させ、前記天冠部と前記回転子の係合が解除されることを特徴とする請求項１または請求項２記載の薬液供給装置。
【請求項４】
前記ピストンと、前記ピストンの後方に延設された、相対向する平面部と前記平面部間に形成された螺子部とを有するピストン棒と、
前記回転子の前端部に形成され、ピストン棒の断面形状と同一の形状を有し、ピストン棒が挿通する貫通穴と、
前記軸筒に固定され、内周面にピストン棒の螺子部と螺合する螺子部が形成された、運動変換部と、
を備え、
前記回転子の回転と共にピストン棒が回転し、前記運動変換部によってピストン棒及びピストンを前方向へ移動させ、薬液を供給することを特徴とする請求項１乃至請求項３のいずれかに記載の薬液供給装置。
【発明の詳細な説明】
【技術分野】
【０００１】
本発明は薬液供給装置に関し、例えば、インシュリン等の皮下注射のように患者自身が使用する薬液供給装置に関する。
【背景技術】
【０００２】
例えば、糖尿病患者等においては、患者自身がインシュリン等を皮下注射することが一般的に行われている。これら患者自身が使用する薬液供給装置（注射器）の中には、薬液供給装置（注射器）内に複数回分の薬液量を収容し、使用者が１回分の投与量を設定した後、注射によって前記薬剤を投与するものがある。
この薬液供給装置（注射器）は、患者自身が使用するため（注射を行うため）、その操作が簡単であり、また薬液量を正確に投与できるものでなければならない。また、薬液供給装置（注射器）が再使用するのではなくて使い捨てである場合には、患者に多大な費用がかかるため、安価なものでなければならない。
【０００３】
この薬液供給装置（注射器）としては、例えば、特許文献１，２に示すように、患者が回転ノブを回転させ、投与量を設定し、その後、回転ノブとは別の解放ノブを押し下げることで、薬液を投与する薬液供給装置（注射器）が知られている。
【先行技術文献】
【特許文献】
【０００４】
【特許文献１】特許第４９２２１７２号公報
【特許文献２】特公平６−２４６００号公報
【発明の概要】
【発明が解決しようとする課題】
【０００５】
ところで、前記特許文献１，２に示された薬液供給装置（注射器）にあっては、患者が薬液供給装置（注射器）の回転ノブを回転させ投与量を設定し、その後、解放ノブを押し下げることで薬液を投与するものであり、投与量の設定と薬液の投与を、夫々異なる部材で行う必要があった。
このような薬液供給装置（注射器）は、例えば、糖尿病患者等にみられる視力障害を有する者にとって操作が困難であり、また薬液供給装置（注射器）を構成する部品点数が多くなり、コストが嵩むという技術的課題があった。
【０００６】
本発明は、上記技術的課題を解決するためになされたものであり、投与量の設定及び薬液の投与を一つの部材で行うことにより、操作をより容易になすと共に、部品点数を抑制した薬液供給装置を提供することを目的とする。
【課題を解決するための手段】
【０００７】
本発明にかかる薬液供給装置は、軸筒内に薬液が収容され、前記軸筒内のピストンを軸筒の前方向に移動させることにより、薬液を供給する薬液供給装置であって、一方向に回転させることによって前記軸筒の後端部から後方向に引き出され、押し込まれることで前方向に移動する操作部と、前記軸筒の後端部に設けられ、前記操作部の一方向の回転を許容する天冠部と、前記操作部の前端部に形成された第１の突起部と螺合する螺子部を有すると共に、前記操作部が後方向に引き出される状態では前記天冠部と係合し回転が禁止され、前記操作部が前方向に押し込まれる状態では、前記天冠部との係合が解除され、前記操作部の第１の突起部によって回転する回転子と、前記回転子と共に回転するピストン棒と、前記ピストン棒の回転により、前記ピストン棒と前記ピストン棒の前端部に形成されたピストンを前方向へ移動させる運動変換部と、を備え、前記操作部を一方向に回転させることにより、軸筒の後端部から後方向に引き出し、前記操作部を押し込むことにより、前記回転子及びピストン棒を回転させ、前記運動変換部を介して、ピストン棒とピストンを前方向へ移動させ、薬液を供給することを特徴としている。
【０００８】
この薬液供給装置は、操作部を一方向に回転させることにより、軸筒の後端部から後方向に引き出し、前記操作部を押し込むことにより、前記回転子及びピストン棒を回転させ、前記運動変換部を介して、ピストン棒とピストンを前方向へ移動させ、薬液を供給するように構成されている。
したがって、操作部を一方向に回転（例えば、１回転）させることにより、操作部が引き出され、投与量の設定がなされる。また、前記操作部を押し込む（引き出す前の元の状態に戻す）ことで、薬液の投与をなすことができる。
即ち、投与量の設定及び薬液の投与を一つの部材で行うことができ、より容易に操作することができると共に、部品点数をより抑制し、安価な薬液供給装置とすることができる。
【０００９】
ここで、前記操作部の外周面に形成された、径方向に出没する第２の突起部と、前記天冠部の内周面の前後方向に延設され、周方向の一方の面が斜面部に形成され、他の面が垂直面に形成された凸部と、を備え、前記操作部が一方向に回転させる際には、前記第２の突起部と前記斜面部が当接し、前記第２の突起部が径方向に没することにより、前記操作部の回転が許容され、前記操作部が他の方向に回転させる際には、前記第２の突起部と前記垂直面が当接し、前記操作部の回転が禁止されることが望ましい。
【００１０】
このように、前記操作部は一方向のみに回転が許容されるため、誤った投与量の設定を防止することができる。例えば、前記操作部を一方向に回転させ、投与量の設定した後、前記操作部を他の方向（逆方向）に回転させ、再び前記操作部を一方向に回転させると、設定した投与量が吐出されてしまうため、操作部を他の方向への回転を禁止することで、前記したような誤った投与量の吐出を防止することができる。
【００１１】
また、前記天冠部の前方端に形成された凹部あるいは凸部と、前記天冠部の凹部あるいは凸部と係合する前記回転子の後方端に形成された凸部あるいは凹部と、前記回転子の後方端を前記天冠部の前方端に圧接するスプリングと、を備え、前記スプリングの付勢力により、前記天冠部と前記回転子が係合し、前記操作部を押し込むことにより、前記操作部の第１の突起部が、前記回転子の螺子部を介して、スプリングの付勢力に抗して回転子を前方に移動させ、前記天冠部と前記回転子の係合が解除されることが望ましい。
このように構成されているため、前記操作部を押し込まない状態にあっては、天冠部と回転子が係合しているため、前記回転子（及びピストン）は回転せず、薬液が供給されない。一方、前記操作部を押し込むことにより、天冠部と回転子の係合が解除されるため、前記回転子（及びピストン）は回転すると共に、ピストンが前進し、薬液が供給される。
【００１２】
更に、前記ピストンと、前記ピストンの後方に延設された、相対向する平面部と前記平面部間に形成された螺子部とを有するピストン棒と、前記回転子の前端部に形成され、ピストン棒の断面形状と同一の形状を有し、ピストン棒が挿通する貫通穴と、前記軸筒に固定され、内周面にピストン棒の螺子部と螺合する螺子部が形成された、運動変換部と、を備え、前記回転子の回転と共にピストン棒が回転し、前記運動変換部によってピストン棒及びピストンを前方向へ移動させ、薬液を供給することが望ましい。
このように構成することにより、前記回転子とピストン棒が回転し、前記ピストンを前進させ、薬液を供給することができる。
【発明の効果】
【００１３】
本発明によれば、投与量の設定及び薬液の投与を一つの部材で行うことにより、操作をより容易になすと共に、部品点数を抑制した薬液供給装置を得ることができる。
【図面の簡単な説明】
【００１４】
【図１】図１は、本発明にかかる薬液供給装置の一実施形態を示す外観斜視図である。
【図２】図２は、図１に示す一実施形態の部分断面図である。
【図３】図３は、図１に示す一実施形態の動作の開始前の状態（初期状態）を示す断面図である。
【図４】図４は、図１に示す一実施形態の操作部を示す図であって、（ａ）は前方から見た斜視図、（ｂ）は後方から見た斜視図、（ｃ）は断面図である。
【図５】図５は、図１に示す一実施形態の天冠部を示す図であって、（ａ）は前方から見た斜視図、（ｂ）は側面図、（ｃ）は断面図である。
【図６】図６は、図１に示す一実施形態の回転子を示す図であって、（ａ）は後方から見た斜視図、（ｂ）は断面図、（ｃ）は（ｂ）と９０度角度が異なる断面図、（ｄ）は側面図である。
【図７】図７は、図１に示す一実施形態のピストン棒（ピストン）の後方から見た斜視図である。
【図８】図８は、図１に示す一実施形態の動作の過程を示す概略斜視図であり、動作の開始前の状態（初期状態）を示す図である。
【図９】図９は、図１に示す一実施形態において、操作部が引き出された状態を示す断面図である。
【図１０】図１０は、図１に示す一実施形態において、操作部を押し込むことによってピストンが前進することを説明するための概略斜視図であり、（ａ）は操作部と回転子の関係を示す斜視図、（ｂ）はピストン棒と運動変換器の関係を示す斜視図である。
【発明を実施するための形態】
【００１５】
以下、本発明にかかる薬液供給装置の一実施形態について、図１乃至図１０に基づいて説明する。
まず、図１、図２に基づいて、薬液供給装置及びこの薬液供給装置が用いられる注射器について説明する。
図１、２に示すように、符号１は、複数回分の薬液量を収容し、使用者が１回分の投与量を設定したのち、注射によって前記薬剤を投与する注射器である。この注射器１は、注射器部２と薬液供給装置３を備えている。
【００１６】
前記注射部２は、前部軸筒２ａ内に配置された、複数回分の薬液量を収容した薬液収納部２ｂと、前記前部軸筒２ａの先端部から外部に突出し、患者に対して薬液を供給する針部２ｃを有している。また、前記前部軸筒２ａには、収容した薬液収納部２ｂの薬液量を確認するための窓部２ｄが形成されている。
尚、薬液収納部２ｂは、薬液を内部に収容するシリンダを備え、後に述べるピストン３６ｂが前記シリンダ内を前進することにより、患者に対して薬液が供給されるように構成されている。
【００１７】
また、図２、３に示すように、前記薬液供給装置３は、前記前部軸筒２ａと嵌合し固定される後部軸筒３１と、前記後部軸筒３１の後端部３１ａから後方向に引き出され、押し込まれることで前方向に移動する操作部３２を備えている。尚、本実施形態の説明において、図２に示すように、操作部３２から針部２ｃに向かう方向（Ｘ１方向）を前方向、針部２ｃから操作部３２に向かう方向（Ｘ２方向）を後方向という。
また、前記薬液供給装置３は、前記後部軸筒３１の後部に設けられ、前記操作部３２の一方向の回転を許容する天冠部３３と、前記天冠部３３と係合、あるいは非係合の状態になされる回転子３４を備えている。
【００１８】
この回転子３４は、前記操作部３２が後方向に引き出される状態では前記天冠部３３と係合し、前記操作部３２が前方向に押し込まれる状態では、前記天冠部３３との係合が解除され、回転するように構成されている。
前記天冠部３３と回転子３４の係合あるいは非係合（係合の解除）は、前記回転子３４の後方端を前記天冠部３３の前方端に圧接するスプリング３５によってなされる。即ち、スプリング３５によって、回転子３４の後方端が前記天冠部３３の前方端に圧接することにより、前記天冠部３３と回転子３４が係合する。
一方、操作部３２が押し込まれることで、回転子３４がスプリング３５を圧縮しながら前方向に移動し、天冠部３３と回転子３４の係合が解除される（非係合の状態になされる）。
【００１９】
また、前記薬液供給装置３は、前記回転子３４と共に回転するピストン棒３６の先端部に設けられたピストン３６ｂと、前記ピストン棒３６（ピストン３６ｂ）を前方向への移動に変換する運動変換部３７とを備えている。
【００２０】
更に、前記薬液供給装置３を構成する各部材について説明する。
まず、操作部３２について図４に基づいて説明する。
この操作部３２は、患者等の使用者が把持し回転及び押し込み操作を行う把持部３２ａと、前記把持部３２ａの前方側に設けられ、前記天冠部３３と係合、非係合状態になされる天冠部内挿入部３２ｂと、前記天冠部挿入部３２ｂの前方側に設けられ、押し込んだ際、回転子を回転させる回転子内挿入部３３ｃとを備えている。
【００２１】
前記把持部３２ａは円筒状に形成され、患者等の使用者が把持して回転させ易く、また後端面が平坦に形成され、押し易くなされている。
前記天冠部内挿入部３２ｂは、前記把持部３２ａよりも外径が小さな円筒状に形成され、その外周面には、径方向に出没する第２の突起部３２ｄが形成されている。
この突起部３２ｄは、コ状の第２のスリット３２ｅによって囲まれた板状部３２ｆの上面に形成されている。したがって、第２の突起部３２ｄに外力が作用すると、板状部３２ｆが径方向内側に変形し、第２の突起部３２ｄは外周面から没する。
一方、前記外力が除かれると、板状部３２ｆが元の状態に戻り、第２の突起部３２ｄは外周面から出るように形成されている。
【００２２】
前記回転子内挿入部３２ｃは、前記天冠部内挿入部３２ｂよりも外径が小さな円筒状に形成され、その外周面の対向する位置には、回転子３４に形成される螺子部３４ａ（図３、図６参照）と螺合する螺旋状の第１の突起部３２ｇが形成されている。
したがって、操作部３２を一方向に回転させることにより、前記第１の突起部３２ｇが回転子３４の螺子部３４ａ内を後方向に移動し、操作部３２は軸筒３１の後端部から後方向に引き出される。
【００２３】
また、前記第１の突起部３２ｇの間には、軸線方向に延設された、第１のスリット３２ｈが形成されている。この第１のスリット３２ｈは、第１の突起部３２ｇが径方向内側に変形し、天冠部３３の貫通穴３３ｅへの挿入を容易にするよう形成したものである。
【００２４】
次に、天冠部３３について図５に基づいて説明する。
天冠部３３は、前記後部軸筒３１の後端部に設けられ、前記操作部３２の一方向の回転を許容するものである。
この天冠部３３は円筒状に形成され、前記後部軸筒３１の後端面に係止されるリング状の係止部３３ａと、周面に形成された突起部３３ｂとを備えている。前記突起部３３ｂが後部軸筒３１に形成された貫通穴３１ｂ（図１参照）に嵌合すると共に、前記係止部３３ａが後部軸筒３１の後端面に係止されることにより、前記天冠部３３は後部軸筒３１に固定される。
【００２５】
また、図５（ｂ）に示すように、前記天冠部３３の内周面には、前後方向に延設され、周方向の一方の面が斜面部３ｃ１に形成され、他の面が垂直面３ｃ２に形成された、複数の凸部３３ｃが設けられている。
この凸部３３ｃと前記操作部３２の突起部３２ｄが係合する。即ち、前記操作部３２に一方向（斜面部３ｃ１の形成方向）に回転する力（使用者の回転力）が作用すると、突起部３２ｄと前記斜面部３ｃ１が当接し、板状部３２ｆが変形し、第２の突起部３２ｄは外周面から没し、操作部３２を回転させることができる。そして、前記操作部３２の一方向（斜面部３ｃ１の形成方向）の回転力（使用者の回転力）が停止されると、板状部３２ｆが元の状態に戻り、第２の突起部３２ｄは外周面から突出し（元の状態に戻り）、凸部３３ｃと係合する。
【００２６】
一方、前記操作部３２に他の方向（垂直面３ｃ２の形成方向）に回転する力（使用者の回転力）が作用すると、前記突起部３２ｄと前記垂直部３ｃ２が当接し、板状部３２ｆは変形しない。そのため、第２の突起部３２ｄは外周面から没することなく、凸部３３ｃに係止され、操作部３２の回転は禁止される。
【００２７】
前記天冠部３３の前方部には、凹部３３ｄが形成されている。この凹部３３ｄは、回転子３４に形成された凸部３４ｂ（図６参照）と嵌合し、前記操作部３２を回転させながら引き出す際、回転子３４の回転を阻止するものである。即ち、前記操作部３２の第１の突起部３２ｇが回転しながら、回転子３４の螺子部３４ａ内を移動する際、前記操作部３２の回転によって、前記回転子３４が回転するのを禁止するものである。
尚、この実施形態にあっては、上記したように、前記天冠部３３に凹部３３ｄを形成し、回転子３４に凸部３４ｂを形成した場合を示したが、天冠部３３に凸部を形成し、回転子３４に凹部を形成しても良い。
また、前記天冠部３３の前方端には、操作部３２の回転子内挿入部３２ｃが挿通する貫通穴３３ｅが形成されている。
【００２８】
次に、回転子３４について図６に基づいて説明する。
回転子３４は円筒状に形成され、前記回転子３４の後部内周面に形成された、前記操作部３２の第１の突起部３２ｇと螺合する螺子部３４ａと、前記回転子３４の後方端に形成された、天冠部３３の凹部３３ｄに係合する凸部３４ｂが形成されている。
前記凸部３４ｂは螺子部３４ａの外径よりも外径寸法の大きい鍔部３４ｃの後面上に形成されている。尚、前記したように、天冠部３３に凸部を形成し、回転子３４に凹部を形成しても良い。
【００２９】
前記回転子３４の鍔部３４ｃの前面３４ｃ１（前方側面）に、図３に示しように、スプリング３５の一端が係止される。このスプリング３５の他端は後部軸筒３１の段部３１ｃに係止される。その結果、スプリング３５によって、回転子３４は天冠部３３側に付勢され、凸部３４ｂは天冠部３３の凹部３３ｄに係合する。
尚、第１の突起部３２ｇの前進によって前記回転子３４が回転するように、前記螺子部３４ａのリード角θ（図６（ｃ）参照）は４５度以上に設定されている。前記リード角θは４５度以下に設定されている場合には、第１の突起部３２ｇの前方向への移動によって、回転子３４が回転しないために、操作部３２を押し込む（操作部３２の前方への移動を行う）ことができない。
【００３０】
前記回転子３４の前端面には、ピストン棒３６の断面形状と同一の形状を有し、ピストン棒３６が挿通する貫通穴３４ｄが形成されている。即ち、相対向する平面部３４ｄ１と前記平面部間に形成された湾曲部３４ｄ２を有する貫通穴３４ｄが設けられている。
したがって、前記回転子３４とピストン棒３６は、前記平面部３４ｄ１にピストン棒３６が当接し一体となって回転する。一方、前記貫通穴３４ｄがピストン棒の断面形状と同一の形状であるため、運動変換部３７を介することにより、ピストン棒３６は回転子３４に対して、前方向に移動することができる。
【００３１】
次に、ピストン棒３６について図７に基づいて説明する。
ピストン棒３６が、円柱状のねじ部３６ａと、ねじ部３６ａの先端に形成された円柱状のピストン３６ｂとを備えている。また、このピストン棒３６ａは、相対向する平面部３６ａ１と、前記平面部３６ａ1間に形成されたねじ形成部３６ａ２とを備えている。
前記ピストン棒３６が前記形状に形成されているため、前記回転子３４と一体となって回転するが、ピストン棒３６は回転子３４に対して、運動変換部３７を介することにより、前方向に移動することができるように構成されている。
尚、前記ピストン３６ｂは、薬液を内部に収容するシリンダ内を前進することにより、患者に対して薬液が供給されるように構成されている。
【００３２】
次に、スプリング３５、及び運動変換部３７について図３に基づいて説明する。
前記スプリング３５は、図３に示すように、前記回転子３４の鍔部３４ｃの前面３４ｃ１と、後部軸筒３１の段部３１ｃに係止され、回転子３４を天冠部３３側に付勢している。即ち、回転子３４の凸部３４ｂは天冠部３３の凹部３３ｄに係合している。
したがって、操作部３２を回転させながら、後部軸筒３１から前記操作部３２を引き出す際、その操作部３２の回転力が回転子３４に伝達されても、凸部３４ｂが天冠部３３の凹部３３ｄに係止されているため、回転子３４は回転しない。一方、操作部３２が押し込まれることで、回転子３４がスプリング３５を圧縮しながら前方向に移動し、天冠部３３と回転子３４の係合が解除され（非係合の状態になされる）、回転子３４は回転する。
【００３３】
また、運動変換部３７は円筒状に形成され、その内周面に、ピストン棒３６のねじ形成部３６ａ２と螺合する螺子部３７ａが形成されている。また、この運動変換部３７は、後部軸筒部３１に固定されている。
そのため、ピストン棒３６が回転すると、ピストン棒３６は運動変換部３７によって前方向に移動する。即ち、前記したように前記回転子３４とピストン棒３６は、一体となって回転し、更に、ピストン棒３６は運動変換部３７によって、回転子３４に対して前方向に移動する。
【００３４】
次に、薬液供給装置の動作、作用について図８乃至図１０に基づいて説明する。尚、図８、図１０の概略図にあっては、軸筒３１は省略している。
まず、図８に示すように，操作部３２を一方向（Ｒ方向）に回転させる。操作部３２に一方向（Ｒ方向、斜面部３ｃ１の形成方向）に回転する力（使用者の回転力）が作用すると、突起部３２ｄと前記斜面部３ｃ１が当接し、板状部３２ｆが変形し、第２の突起部３２ｄは外周面から没し、回転させることができる。このとき、回転子３４は天冠部３３にスプリング３５によって付勢されているため、操作部３２を回転させても、回転子３４は回転しない。
【００３５】
この操作部３２の第１の突起部３２ｇが回転（Ｒ方向）することによって、回転子３４の螺子部３４ａにより、操作部３２は後部軸筒３１の後端部から後方向（Ｘ２方向）に引き出される。
そして、図９に示すように、操作部３２が所定の回転（例えば、１回転）することにより、１回分の薬液量がセットされる。尚、前記操作部３２の回転、引き出し動作において、ピストン棒３６は何ら影響を受けず（後方向に引き出されることはなく）、現位置に留まる。
【００３６】
また、第１の突起部３２ｇが螺子部３４ａの後端部に位置し、後方向への引き出し（移動）が阻止されると、前記第１のスリット３２ｈにより、第１の突起部３２ｇは螺子部３４ａのねじ山を乗り越え、操作部３２はいわゆる空回りし、操作部３２、回転子３４の破損が防止される。
【００３７】
一方、前記操作部３２の回転動作中に、操作部３２を他の方向（前記Ｒ方向と反対方向）に回転させようとすると、前記突起部３２ｄと前記垂直部３３ｃ２が当接し、板状部３２ｆは変形しない。そのため、第２の突起部３２ｄは外周面から没することなく、凸部３３ｃに係止され、操作部３２を回転させることができない。
【００３８】
そして、操作部３２が引き出された状態から、図１０（ａ）に示すように、操作部３２を前方向（Ｘ１方向）に、天冠部３３に当接するまで押し込む。
この操作部３２の押し込みにより、前記操作部３２の第１の突起部３２ｇが、前記螺子部３４ａを介して回転子３４を前方に移動させ、スプリング３５の付勢力に抗しながら、前記天冠部３３と前記回転子３４の係合を解除する。即ち、回転子３４を回転可能な状態になす。
その結果、操作部３２の押し込み動作（第１の突起部３２ｇの前方向（Ｘ１方向）の移動）によって、前記回転子３４が回転する。
【００３９】
また、ピストン棒３６は回転子３４と一体に回転可能に構成されているため、図１０（ａ）に示すように，前記回転子３４の回転と共にピストン棒３６も回転する。更に、ピストン棒３６は、固定された運動変換部３７と螺合しているため、ピストン棒３６の回転によって、ピストン棒３６は前進（Ｘ１方向へ移動）する。
このピストン棒３６の前進によってピストン３６ｂが前進し、注射器部２内の薬液収納部２ｂから１回分の薬液が供給され、患者に対して投与される。
【００４０】
再び、使用する場合には、前記した動作を繰り返すことになるが、操作部３２の回転、引き出し動作においては、ピストン棒３６（ピストン３６ｂ）は何ら影響を受けず（後方に移動することなく）現位置に留まるため、前記した動作を繰り返すごとにピストン３６ｂは徐々に前進し、注射器部２内の薬液収納部２ｂの薬液が終了するまで薬液が供給される。
【符号の説明】
【００４１】
１          注射器
２          注射部
３          薬液供給装置
３１        後部軸筒
３２        操作部
３２ｄ      第２の突起部
３２ｇ      第１の突起部
３３        天冠部
３３ｃ      凸部
３３ｄ      凹部
３４        回転子
３４ａ      螺子部
３４ｄ      貫通穴
３５        スプリング
３６        ピストン棒
３７        運動変換部
【図１】
0006453080.tif 000002
【図２】
0006453080.tif 000003
【図３】
0006453080.tif 000004
【図４】
0006453080.tif 000005
【図５】
0006453080.tif 000006
【図６】
0006453080.tif 000007
【図７】
0006453080.tif 000008
【図８】
0006453080.tif 000009
【図９】
0006453080.tif 000010
【図１０】
0006453080.tif 000011